(57)【特許請求の範囲】
【請求項１】
外扉に装着され、かつ、背面側に外扉にねじ固定されるハンドルケース、操作レバーを備え、当該操作レバーが前記ハンドルケースに格納された格納位置と前記ハンドルケースから突出した突出位置との間を移動可能に前記ハンドルケースに組み込まれた操作ハンドル、および前記操作ハンドルの枢軸部に嵌め込み固定されたキーシリンダーとからなる自動販売機のハンドルロック装置であって、前記操作ハンドルはキーシリンダーが嵌め込み固定された軸状部に外周方向に出没可能な閂を有し、キーシリンダーの施錠により前記閂が突出してハンドルケースの格納位置に拘束保持される一方、キーシリンダーの解錠により前記閂が没入してハンドルケースの格納位置への拘束が解除されて突出位置に突出するようにした自動販売機のハンドルロック装置において、前記ハンドルケースは、それぞれ単数の薄板板金であり、外扉に装着され、前記操作ハンドルの操作レバーを格納するハンドルケースカバーと、前記操作ハンドルの軸状部から出没する閂を係止する閂係止溝を有する筒状のハンドルロックケースと、締結孔が穿たれた取付金具と、からなるハンドルケース組立体であることを特徴とする自動販売機のハンドルロック装置。
【請求項２】
請求項１記載の自動販売機のハンドルロック装置において、ハンドルケースカバーは、操作レバーが格納される格納穴が形成されたフロントカバー、およびフロントカバーの背後に固着され、前記格納穴を塞ぐとともにハンドルロックケースが挿通する挿通穴が形成された薄板板金製のリアカバーからなり、前記フロントカバーまたはリアカバーのいずれか一方を焼入れしてなることを特徴とする自動販売機のハンドルロック装置。
【請求項３】
請求項１記載の自動販売機のハンドルロック装置において、ハンドルロックケースは、それぞれ閂係止溝が折り曲げ形成された略同一形状の分割ケースに二分され、両者を結合してなることを特徴とする自動販売機のハンドルロック装置。
【請求項４】
請求項３記載の自動販売機のハンドルロック装置において、ハンドルロックケースを囲繞する薄板板金製のロックケース固定金具を有し、当該ロックケース固定金具にハンドルロックケースを着脱自在に固定してなることを特徴とする自動販売機のハンドルロック装置。
【請求項５】
請求項１記載の自動販売機のハンドルロック装置において、取付金具は固定基部と締結孔が穿たれた取付座部とを有し、前記取付座部は外扉にねじ固定される高さ位置に折り曲げて形成されてなることを特徴とする自動販売機のハンドルロック装置。
【請求項６】
請求項５記載の自動販売機のハンドルロック装置において、取付金具にはハンドルロックケースにおける閂係止溝の前方域の外周面に係合する舌片状の係合片が追加装備され、少なくとも前記係合片が焼入れされてなることを特徴とする自動販売機のハンドルロック装置。
【発明の詳細な説明】
【技術分野】
【０００１】
この発明は、自動販売機における本体キャビネットの前面を開閉する外扉に装備された操作ハンドルに適用されるハンドルロック装置に関する。
【背景技術】
【０００２】
この種の従来の自動販売機について図８を用いて説明する。図８は一般的な缶入り飲料，ペットボトル入り飲料を販売する自動販売機の正面図である。図に示すように、この自動販売機は、前面が開放した断熱筐体として形成された本体キャビネット１００と、本体キャビネット１００の前面にヒンジにより開閉可能に支持された外扉２００とからなる。断熱筐体として形成された本体キャビネット１００の庫内には商品を横倒し状態で収納するとともに下端部に商品搬出装置を有する商品ラックが収設されるとともに、前記商品ラックの下部には商品搬出装置により切り出された商品が滑動ないしは転動する前傾姿勢の商品搬出シュータが配設され、当該商品搬出シュータの下部であって各商品収納室の下端には、当該各商品収納室を冷却もしくは加熱して商品ラックに収納した商品をコールド・ホット状態に保存する冷却／加熱ユニットが配設されている。
【０００３】
前記外扉２００の前面の上部域は透明板３００で覆われ、この透明板３００と外扉２００に開閉可能に支持された中扉４００との間の空間がディスプレイ室５００として形成されている。前記中扉４００の前面には、本体キャビネット１００の庫内に収納した商品に対応した複数の商品見本７００を左右に一列に並べて載置したディスプレイ台６００が上下方向に３段並べて取付けられている。前記透明板３００には、各ディスプレイ台６００と対峙する位置に商品選択ボタンユニット８００が設けられ、商品選択ボタンユニット８００は、ディスプレイ台６００に載置された各商品見本７００に対応して左右に一列に並べて設けた商品選択ボタン（不図示）を有している。また、外扉２００の前面には、硬貨投入口２０１、紙幣挿入口２０２、硬貨返却口２０３、返却レバー２０４、商品取出口２０５およびハンドルロック装置９００などが設けられている。
【０００４】
前記ハンドルロック装置９００の背後における本体キャビネット１００と外扉２００との間には不図示のフック金具と上下にスライド移動可能なスライダとからなるロック機構が設けられている。フック金具は本体キャビネット１００の前面開口端部に突出して設けられる一方、スライダは外扉２００に上下方向にスライド移動自在に配設されており、本体キャビネット１００に設けたフック金具に外扉２００に設けたスライダを係合・離脱させることにより外扉をロック・アンロックするように構成されている。
【０００５】
前記スライダをフック金具に係合・離脱させるハンドルロック装置９００を図９に示し、図９（ａ）は扉用ハンドルロック装置を正面側右斜め前方より見た斜視図、（ｂ）はハンドルケースから操作ハンドルを取り外したハンドルケースを正面側から見た斜視図、（ｃ）は（ｂ）のハンドルケースを背面側から見た斜視図であり、次に図９を用いて従来のハンドルロック装置を説明する。
【０００６】
図９に示したハンドルロック装置９００は、外扉に装着されるハンドルケース９１０と、このハンドルケース９１０に組み込まれた操作ハンドル９２０と、この操作ハンドル９２０の枢軸部に嵌め込み固定されたキーシリンダー９３０とを備えている。前記ハンドルケース９１０は外扉の前面に露出する上下方向に長い略楕円状に形成された鍔部９１１と、この鍔部９１１から背面側に突出するとともに鍔部９１１の長軸方向（上下方向）に長い矩形状の胴部９１２と、前記鍔部９１１と前記胴部９１２を貫通する軸挿通穴を有する筒状部９１３とを一体に形成した亜鉛ダイカストなどによる鋳物成形品である。前記鍔部９１１の表面には操作ハンドル格納用の凹所（窪み）９１１ａが設けられ、当該凹部９１１ａの内部には、例えば操作ハンドル９２０の状態を検知するマイクロスイッチなどの検知スイッチ（不図示）の係止孔９１１ｂが設けられている。前記胴部９１２の矩形四隅とその上下方向中間部の左右端部にそれぞれタップにより機械加工された取付孔９１４が設けられている。前記筒状部９１３の内壁には１８０度間隔で中心線に平行な一対の閂係止溝９１５，９１５が形成されている。この閂係止溝９１５，９１５は前記筒状部９１３の内壁の前後方向の所定領域から筒状部背面端部に開口する凹溝として形成されている。また、前記筒状部９１３には後述する内筒が回転可能で、かつ、前後方向への移動が不能に装着されるものであり、筒状部９１３の後縁端面には前記内筒の後端部に取付けられる回転規制円板（不図示）のカムに当接するストッパ９１６，９１６が突設されている。なお、図では閂係止溝９１５，９１５が左右に配置されたものを示しているが、上下に配置されたものもある。
【０００７】
前記操作ハンドル９２０は枢軸部から下方に延在する操作レバー９２１と、枢軸部にキーシリンダー９３０が嵌め込み固定された軸状部９２２とを一体に形成した亜鉛ダイカストなどによる鋳物成形品である。前記操作レバー９２１の背面にはハンドルケース９１０の鍔部９１１における操作ハンドル格納用の凹所９１１ａの内部に設けた係止孔９１１ｂに係合・離脱可能な突部（不図示）が形成されている。前記軸状部９２２は前記ハンドルケース９１０の筒状部９１３に装着された内筒９４０内に相対回転不能で、かつ、前後方向にスライド移動自在に遊嵌され、内筒９４０の背面側に配設したばねにより前方に向けて付勢されている。また、軸状部９２２には外周面から出没自在で、かつ、外方向に向けてばね付勢された一対の閂（不図示）が設けられている。この閂はキーシリンダー９３０のキー溝９３１に挿入されるキーの回転操作により回転するロータを介して没入するように構成されている。前記内筒９４０の後端部には、外周方向（径外方向）に突出するカムを有する回転規制円板が設けられ、この回転規制円板のカムがハンドルケース９１０の筒状部９１３の後縁端面を摺動してストッパ９１６，９１６に当接することにより回転範囲が規制されるとともに内筒９４０の前方への移動が規制されている。なお、前記内筒９４０の後端部には外扉２００に設けられたスライダに係合する釈放用レバーが固着され、また、内筒９４０には閂が貫通する穴が形成されている。
【０００８】
前記ハンドルロック装置９００は外扉２００に開口したハンドルケース９１０の胴部９１２が貫通可能な取付穴を介して外扉２００の前面側から装着される。外扉２００の背面には、ハンドルケース９１０の鍔部９１１が外扉２００の板面に当接した状態でハンドルケース９１０の胴部９１２に形成した取付孔９１４に対峙する位置にそれぞれねじ挿通孔を備えたハンドルロック取付金具が配設されており、このハンドルロック取付金具を介してハンドルケース９１０がねじにより外扉２００に固着される（例えば、特許文献１の図１１）。
【０００９】
かかる構成において、前記外扉２００のスライダを本体キャビネット１００のフック金具に係合させてロック機構をロックした状態ではハンドルロック装置９００の操作ハンドル９２０がハンドルケース９１０に押し込まれ、操作ハンドル９２０の軸状部９２２に設けた一対の閂が内筒９４０を介してハンドルケース９１０の筒状部９１３に形成した一対の閂係止溝９１５，９１５に係合し、かつ、前記内筒９４０の背面側に配設されたばねにより当該閂係止溝９１５，９１５の前方側側壁に当接して前方に向けて押圧付勢されており、キーシリンダー９３０の施錠により操作ハンドル９２０はハンドルケース９１０の格納位置に拘束保持されている。この場合、操作ハンドル９２０の操作レバー９２１がハンドルケース９１０の鍔部９１１に設けた凹所９１１ａの中に没入して係止されるとともに操作レバー９２１の背面に設けた突部が凹所９１１ａに設けた係止孔９１１ｂに係止された検知スイッチのアクチュエータを押圧する。
【００１０】
前記本体キャビネット１００のフック金具から前記外扉２００のスライダを離脱させてロック機構をアンロック状態とする場合、キーシリンダー９３０のキー溝９３１にキーを差し込んで時計方向に回転操作すると、キーシリンダー９３０のロータの回転により操作ハンドル９２０の軸状部９２２に設けた一対の閂が操作ハンドル９２０の軸状部９２２に没入してハンドルケース９１０の筒状部９１３に形成した一対の閂係止溝９１５，９１５との係合作用が解除される。これにより内筒９４０の背面側に配設されたばねによって操作ハンドル９２０が前方の突出位置に突出するので、ハンドルケース９１０の凹所９１１ａから抜け出した操作レバー９２１に手を掛けて時計方向に回転操作すると、外扉２００のスライダが上方にスライド移動して本体キャビネット１００のフック金具との係合が解かれてロック機構がアンロック状態となる。この状態で操作レバー９２１を手前に引くと外扉２００が開放する。
【００１１】
ところで、ハンドルロック装置９００を構成するハンドルケース９１０や操作ハンドル９２０が亜鉛ダイカストなどによる鋳物成形品であることから比較的柔らかい。このため、ハンドルロック装置９００をドリルなどで破壊して機内から貨幣を盗む盗難被害が発生している。この場合、操作ハンドル９２０の軸状部９２２の外周面から突出してハンドルケース９１０の筒状部９１３に形成した閂係止溝９１５，９１５に係合した閂が破壊されると操作ハンドル９２０がハンドルケース９１０から前方に突出して外扉２００を開放する手掛かりとなることから、前記閂の破壊を防止する閂防止手段を設けたものが知られている（例えば、特許文献１）。この特許文献１に開示された閂防止手段は、閂の前方に球状のボール若しくは焼入れ処理された三角形状の頂点が前方を向くように形成された突起部材を設けてドリルの直進を防止するようにしたものである。
【００１２】
また、ハンドルロック装置９００をドリルなどで破壊する行為を抑制するためにハンドルケース９１０自体を強化したものも知られている（例えば、特許文献２）。この特許文献２に開示されたハンドルロック装置は、ハンドルケースを所望の形状に打ち抜いた複数の板金を積層してなるとともに焼入れ処理してなるものである。
【先行技術文献】
【特許文献】
【００１３】
【特許文献１】特許第３２１９７３８号公報
【特許文献１】特許第３４００７７８号公報
【発明の概要】
【発明が解決しようとする課題】
【００１４】
上記特許文献１に記載されたハンドルロック装置は、閂防止手段によってドリルの侵入を防止して閂を保護できる点で優れているが、ハンドルケース９１０が鋳物成形品であることから比較的簡単に破壊されるおそれがある。一方、上記特許文献２に記載されたハンドルロック装置は、ハンドルケースが所望の形状に打ち抜いた複数の板金を積層し、かつ、焼入れ処理されて強化されていることからドリルなどによりハンドルケースが破壊されるのを抑制することができる。
【００１５】
しかしながら、上記特許文献２に記載されたハンドルロック装置は、板金を所望形状に打ち抜いて形成、例えば、内筒９４０が貫通する穴を打ち抜いて形成するために端材（端切れ）が発生し、それも積層するために複数の板金を用いねばならないことから歩留まりが悪いという課題を有する。また、複数の板金を積層して構成せねばならないことから材料費が嵩むとともに複数の板金の位置を合わせて積層せねばならないので組立てが煩雑で製造コストが上昇するので自動販売機の高価格化を惹起するという課題を有する。
【００１６】
そこで、本発明は上記の点に鑑みなされたものであり、その目的は前記課題を解決し、コストの低減を図ることができるとともに必要に応じて強化することが可能な自動販売機のハンドルロック装置を提供することにある。
【課題を解決するための手段】
【００１７】
上記目的を達成するため請求項１に係る自動販売機のハンドルロック装置は、外扉に装着され、かつ、背面側に外扉にねじ固定されるハンドルケース、操作レバーを備え、当該操作レバーが前記ハンドルケースに格納された格納位置と前記ハンドルケースから突出した突出位置との間を移動可能に前記ハンドルケースに組み込まれた操作ハンドル、および前記操作ハンドルの枢軸部に嵌め込み固定されたキーシリンダーとからなる自動販売機のハンドルロック装置であって、前記操作ハンドルはキーシリンダーが嵌め込み固定された軸状部に外周方向に出没可能な閂を有し、キーシリンダーの施錠により前記閂が突出してハンドルケースの格納位置に拘束保持される一方、キーシリンダーの解錠により前記閂が没入してハンドルケースの格納位置への拘束が解除されて突出位置に突出するようにした自動販売機のハンドルロック装置において、前記ハンドルケースは、それぞれ単数の薄板板金であり、外扉に装着され、前記操作ハンドルの操作レバーを格納するハンドルケースカバーと、前記操作ハンドルの軸状部から出没する閂を係止する閂係止溝を有する筒状のハンドルロックケースと、締結孔が穿たれた取付金具と、からなるハンドルケース組立体であることを特徴とする。
【００１８】
また、請求項２に係る自動販売機のハンドルロック装置は、請求項１記載の自動販売機のハンドルロック装置において、ハンドルケースカバーは、操作レバーが格納される格納穴が形成されたフロントカバー、およびフロントカバーの背後に固着され、前記格納穴を塞ぐとともにハンドルロックケースが挿通する挿通穴が形成された薄板板金製のリアカバーからなり、前記フロントカバーまたはリアカバーのいずれか一方を焼入れしてなることを特徴とする。
【００１９】
また、請求項３に係る自動販売機のハンドルロック装置は、請求項１記載の自動販売機のハンドルロック装置において、ハンドルロックケースは、それぞれ閂係止溝が折り曲げ形成された略同一形状の分割ケースに二分され、両者を結合してなることを特徴とする。
【００２０】
また、請求項４に係る自動販売機のハンドルロック装置は、請求項３記載の自動販売機のハンドルロック装置において、ハンドルロックケースを囲繞する薄板板金製のロックケース固定金具を有し、当該ロックケース固定金具にハンドルロックケースを着脱自在に固定してなることを特徴とする。
【００２１】
また、請求項５に係る自動販売機のハンドルロック装置は、請求項１記載の自動販売機のハンドルロック装置において、取付金具は固定基部と締結孔が穿たれた取付座部とを有し、前記取付座部は外扉にねじ固定される高さ位置に折り曲げて形成されてなることを特徴とする。
【００２２】
また、請求項６に係る自動販売機のハンドルロック装置は、請求項５記載の自動販売機のハンドルロック装置において、取付金具にはハンドルロックケースにおける閂係止溝の前方域の外周面に係合する舌片状の係合片が追加装備され、少なくとも前記係合片が焼入れされてなることを特徴とする。
【発明の効果】
【００２３】
本発明の請求項１に係る自動販売機のハンドルロック装置によれば、外扉に装着され、かつ、背面側に外扉にねじ固定されるハンドルケース、操作レバーを備え、当該操作レバーが前記ハンドルケースに格納された格納位置と前記ハンドルケースから突出した突出位置との間を移動可能に前記ハンドルケースに組み込まれた操作ハンドル、および前記操作ハンドルの枢軸部に嵌め込み固定されたキーシリンダーとからなる自動販売機のハンドルロック装置であって、前記操作ハンドルはキーシリンダーが嵌め込み固定された軸状部に外周方向に出没可能な閂を有し、キーシリンダーの施錠により前記閂が突出してハンドルケースの格納位置に拘束保持される一方、キーシリンダーの解錠により前記閂が没入してハンドルケースの格納位置への拘束が解除されて突出位置に突出するようにした自動販売機のハンドルロック装置において、前記ハンドルケースは、それぞれ単数の薄板板金であり、外扉に装着され、前記操作ハンドルの操作レバーを格納するハンドルケースカバーと、前記操作ハンドルの軸状部から出没する閂を係止する閂係止溝を有する筒状のハンドルロックケースと、締結孔が穿たれた取付金具と、からなるハンドルケース組立体であることにより、ハンドルケースを単数の薄板板金からなる構成体として形成することができるので、ハンドルケースの材料費を大幅に削減することができる。そのうえ、ハンドルケース組立体の防犯対策仕様（強度）を自動販売機の設置場所に応じて変更することが可能となる。すなわち、自動販売機は防犯対策が必要な自動販売機（例えば、屋外設置形）と防犯対策が不要な自動販売機（例えば、屋内設置形）に大別されることから、ハンドルケース組立体の仕様（強度）も防犯対策の要否に応じて変更、例えば、屋外設置形の場合にはハンドルケース組立体の薄板板金（例えば、亜鉛鉄板）を焼入れ若しくはステンレス製とした高仕様版、屋内設置形の場合には亜鉛板金をそのまま使用した廉価版とすることが可能となり、自動販売機の設置場所に応じた仕様（強度）のハンドルロック装置を提供することができる。
【００２４】
また、請求項２に係る自動販売機のハンドルロック装置は、請求項１記載の自動販売機のハンドルロック装置において、ハンドルケースカバーは、操作レバーが格納される格納穴が形成されたフロントカバー、およびフロントカバーの背後に固着され、前記格納穴を塞ぐとともにハンドルロックケースが挿通する挿通穴が形成された薄板板金製のリアカバーからなり、前記フロントカバーまたはリアカバーのいずれか一方を焼入れしてなることにより、フロントカバーに大きく開口した格納穴をリアカバーにより閉塞することができ、特にリアカバーを焼入れすることによってハンドルケースカバーの略全域をドリルなどによる破壊から防御できる。
【００２５】
また、請求項３に係る自動販売機のハンドルロック装置は、請求項１記載の自動販売機のハンドルロック装置において、ハンドルロックケースは、それぞれ閂係止溝が折り曲げ形成された略同一形状の分割ケースに二分され、両者を結合してなることにより、閂係止溝が折り曲げ形成された一方の分割ケースを個別に作製すればよいので、一枚の薄板板金に一対の閂係止溝を折り曲げ形成してハンドルロックケースを作製する場合に比べて加工を簡単にすることができる。
【００２６】
また、請求項４に係る自動販売機のハンドルロック装置は、請求項３記載の自動販売機のハンドルロック装置において、ハンドルロックケースを囲繞する薄板板金製のロックケース固定金具を有し、当該ロックケース固定金具にハンドルロックケースを着脱自在に固定してなることにより、薄板板金（例えば、亜鉛鉄板）を焼入れ若しくはステンレス製とした高仕様版のハンドルロックケースと亜鉛板金をそのまま使用した廉価版のハンドルロックケースとを選択して使用することが可能となるので、防犯対策仕様のバリエーションを増加（ユーザーに対する選択肢を増加）すること、例えば、高仕様版のハンドルケース組立体のうち、高仕様版のハンドルロックケースを廉価版のハンドルロックケースに交換することにより最高ランクのハンドルケース組立体よりも廉価版のハンドルケース組立体を提供、或いは廉価版のハンドルケース組立体のうち、廉価版のハンドルロックケースを高仕様版のハンドルロックケースに交換することにより廉価版のハンドルケース組立体よりも一ランク上の防犯対策仕様のハンドルケース組立体を提供することができる。
【００２７】
また、請求項５に係る自動販売機のハンドルロック装置は、請求項１記載の自動販売機のハンドルロック装置において、取付金具は固定基部と締結孔が穿たれた取付座部とを有し、前記取付座部は外扉にねじ固定される高さ位置に折り曲げて形成されてなることにより、既設の自動販売機に備えられたハンドルロック装置との互換性を有するので、既設の自動販売機のハンドルロック装置の保守部品として活用することができる。
【００２８】
また、請求項６に係る自動販売機のハンドルロック装置は、請求項５記載の自動販売機のハンドルロック装置において、取付金具にはハンドルロックケースにおける閂係止溝の前方域の外周面に係合する舌片状の係合片が追加装備され、少なくとも前記係合片が焼入れされてなることにより、前記係合片がハンドルロックケースにおける閂係止溝の前方域を遮蔽してドリルの侵入を防止する閂保護部として機能させることが可能となる。このため、係合片を備えた薄板板金を焼入れ、若しくはステンレス製とした高仕様版の取付金具と係合片を備えておらず薄板板金をそのまま使用した廉価版の取付金具とを選択して使用することができるので、防犯対策仕様のバリエーションを増加（ユーザーに対する選択肢を増加）することが可能となる。さらに、取付金具の係合片はハンドルロックケースに係合されるとともに当該取付金具がハンドルロック装置を外扉に固着するためにハンドルロック取付金具を介して外扉に連結されているので、ハンドルロックケースに外力が加えられた際の補強金具として機能するという利点を有する。
【図面の簡単な説明】
【００２９】
【図１】本発明の実施の形態１に係る自動販売機のハンドルロック装置を示し、（ａ）は操作ハンドルが突出位置に突出した状態のハンドルロック装置を前方右斜め上方から見た斜視図、（ｂ）は操作ハンドルを取り外した状態のハンドルケース組立体を前方右斜め上方から見た斜視図、（ｃ）は操作ハンドルを取り外した状態のハンドルケース組立体を背面左斜め後方から見た斜視図である。
【図２】図１のハンドルケースカバーのフロントカバーの背面斜視図である。
【図３】図１のハンドルケースカバーのリアカバーの背面斜視図である。
【図４】図１のハンドルロックケースを示し、（ａ）はその組立て図、（ｂ）はその分解図である。
【図５】図１のロックケース固定金具を示し、（ａ）はその組立て図、（ｂ）はその分解図である。
【図６】図１の取付金具を示し、（ａ）は上段の取付金具の斜視図、（ｂ）は中段の取付金具の斜視図、（ｃ）は下段の取付金具の斜視図である。
【図７】図１のハンドルケース組立体の製作工程を示し、（ａ）はハンドルケースカバーの組立の説明図であり、（ｂ）は（ａ）によりハンドルケースカバーに組付けられたロックケース固定金具にハンドルロックケースを組付ける組立の説明図、（ｃ）はハンドルケースカバーに取付金具を組付ける組立の説明図である。
【図８】本発明の実施対象である自動販売機の正面図である。
【図９】従来の自動販売機のハンドルロック装置を示し、（ａ）はハンドルロック装置を前方右斜め上方から見た斜視図、（ｂ）はハンドルケースを前方右斜め上方から見た斜視図、（ｃ）は（ｂ）のハンドルケースを背面左斜め後方から見た斜視図である。
【発明を実施するための形態】
【００３０】
以下、本発明の実施の形態１に係る自動販売機のハンドルロック装置について添付図面を参照して説明する。図１は本発明の実施の形態１に係る自動販売機のハンドルロック装置を示し、図において、図９に示した自動販売機のハンドルロック装置と同一、若しくは同一の機能を有するものには同一の符号を付している。  図１に示すように、この実施の形態１に係る自動販売機のハンドルロック装置ＨＬは、外扉に装着されるハンドルケース組立体１と、このハンドルケース組立体１に組み込まれた操作ハンドル９２０と、この操作ハンドル９２０の枢軸部に嵌め込み固定されたキーシリンダー９３０とを備えている。ここで、操作ハンドル９２０と、この操作ハンドル９２０の枢軸部に嵌め込み固定されたキーシリンダー９３０とは従来のものと同一であるのでその説明は割愛する。図１に示すこの実施の形態に係る自動販売機のハンドルロック装置ＨＬが、図９に示した従来のハンドルロック装置９００と相違する点はハンドルケース組立体１であり、以下、このハンドルケース組立体１について図を参照しつつ説明する。
【００３１】
図１に示すように、ハンドルケース組立体１は、外扉の前面に露出する上下方向に長い略楕円状で扁平なハンドルケースカバー２と、このハンドルケースカバー２の背面にロックケース固定金具４を介して取付けられたハンドルロックケース３と、前記ロックケース固定金具４にねじ固定された取付金具５，６と、前記ハンドルケースカバー２に溶接された取付金具７とを備えている。前記ハンドルケースカバー２、ハンドルロックケース３、ロックケース固定金具４、および取付金具５，６，７は、それぞれ単数の薄板板金製になり、必要に応じて薄板板金を焼入れしてなるものである。
【００３２】
前記ハンドルケースカバー２はフロントカバー２１およびリアカバー２２からなる。前記フロントカバー２１は、図２に示すように、上下方向に長い略楕円状であって、周縁をフランジ２１１で囲まれた扁平な薄板板金製になる。このフロントカバー２１の表面には操作ハンドル格納用の格納穴２１０が形成されている。この格納穴２１０の周縁はフランジ２１２で囲まれており、フランジ２１２の左右２箇所に突起２１３，２１３が形成されている。
【００３３】
前記フロントカバー２１の背面を覆うリアカバー２２は、図３に示すように、前記フロントカバー２１のフランジ２１２の左右側壁を囲うように左右側縁が折り曲げられ、上端部がフロントカバー２１のフランジ２１２の上部壁を囲うとともに上方に延在する取着片２２１として階段状に折り曲げ形成された扁平な薄板板金製になる。リアカバー２２の板面にはハンドルロックケース３が挿通される挿通穴２２２が形成されるとともに前記フロントカバー２１のフランジ２１２に形成された左右２箇所の突起２１３，２１３が貫通する挿通穴２２３，２２３が形成されている。また、リアカバー２２の板面にはボス２２４，２２４が形成されており、このボス２２４，２２４は取付金具７の位置決めの役目をする。なお、リアカバー２２の板面に形成された係止孔２２５は、従来装置（図９）の係止孔９１１ｂに相当し、操作ハンドル９２０の状態を検知するマイクロスイッチなどの検知スイッチを係止するものである。
【００３４】
前記フロントカバー２１の格納穴２１０とリアカバー２２の挿通穴２２２を挿通するハンドルロックケース３は、図４に示すように、左右に分割された分割ケース３１，３２からなる。分割ケース３１は、略半円の円弧状部３１１と、この円弧状部３１１の両端縁から階段状に折り曲げて形成した水平に延在する重畳部３１２，３１２とを備えている。前記円弧状部３１１には切り起しにより断面コ字状の開放部が内方を向くように形成された閂係止溝３１３が形成されている。この閂係止溝３１３は円弧状部３１１の後縁（図の手前側）から前方側に円弧状部３１１の略中央域まで軸線に平行に延在するとともに閂係止溝３１３の前方側端面が閂係止溝３１３を形成するために切り起した際に残存する円弧状部３１１の端面により閉塞されている。また、円弧状部３１１の外周壁には後述する取付金具５の係合片が進入する係止穴３１４が形成されている。この係止穴３１４は前記閂係止溝３１３よりも前方域に位置しているものである。前記円弧状部３１１の両端縁に形成された水平に延在する重畳部３１２，３１２は、円弧状部３１１の径よりも径外に位置するように円弧状部３１１の両端縁から外側に階段状に折り曲げて形成されているものである。
【００３５】
前記分割ケース３２は、分割ケース３１と略同一の構成であって、分割ケース３１を円周方向に１８０度回転させた態様のものであり、略半円の円弧状部３２１と、この円弧状部３２１の両端縁から階段状に折り曲げて形成した水平に延在する重畳部３２２，３２２とを備え、前記円弧状部３２１には切り起しにより断面コ字状の開放部が内方を向くように形成された閂係止溝３２３が形成され、また、円弧状部３２１の外周壁には後述する取付金具５の係合片が進入する係止穴３２４が形成されている。なお、分割ケース３２の重畳部３２２，３２２は、分割ケース３１の重畳部３１２，３１２よりも内側に一段低く形成されている。
【００３６】
前記ハンドルロックケース３は、分割ケース３１の上下の重畳部３１２，３１２の内側に分割ケース３２の上下の重畳部３２２，３２２を重ね合わせたうえで、当該重畳部同士を溶接して一体化することにより組立てられてモジュール化される。このようにモジュール化されたハンドルロックケース３は、一対の閂係止溝３１３，３２３が円周方向に１８０度離隔して位置するようになる。また、ハンドルロックケース３は、分割ケース３１と分割ケース３２とを組み合わせて一体化した際、分割ケース３１と分割ケース３２のそれぞれの円弧状部３１１，３２１が同一の軸線により画かれる円周上に位置するように定められている。つまり、ハンドルロックケース３の中空部には円が形成されるように構成されている。一方、ハンドルロックケース３の外壁の輪郭は円弧の一部が外側に突き出した異形の筒状体として形成されている。
【００３７】
前記ハンドルロックケース３を着脱自在に固定するロックケース固定金具４は、図５に示すように、左右に分割された分割固定金具４１，４２からなる。分割固定金具４１は、略半円の円弧状部４１１と、この円弧状部４１１の両端縁から外側に階段状に折り曲げて形成した水平に延在する重畳部４１２，４１３とを備え、前記円弧状部４１１と両重畳部４１２，４１３とは分割ケース３１の外郭を構成するものである。また、分割固定金具４１の円弧状部４１１には、分割ケース３１の円弧状部３１１の外周壁に形成した係止穴３１４に対応する位置に挿通穴４１４が形成されている。前記重畳部４１２は前後方向に３分割されたうちの中央脚片４１２１が一段高く折り曲げられて後述する取付金具５を固着するねじ孔４１２１ａを有する固定片（以下ではロックケース固定金具４の固定片４１２１ともいう）として形成され、また、３分割されたうちの後部脚片４１２２の後縁には下方（内方）に延在するストッパ４１５が形成されている。そして、重畳部４１３の板面には後述する取付金具６を固着するねじ先端の逃げ孔４１３ａが形成されるとともに重畳部４１３の前縁には下方に延在する二股状の取着片４１３１が形成されている。この二股状の取着片４１３１の左右両端には切欠４１３１ａ，４１３１ａが形成されている。なお、前記円弧状部４１１に設けた係合穴４１６は後述する取付金具６の係合片が進入して係合するものである。
【００３８】
前記分割固定金具４２は、分割固定金具４１と同様に、略半円の円弧状部４２１と、この円弧状部４２１の両端縁から外側に階段状に折り曲げて形成した水平に延在する重畳部４２２，４２３とを備え、前記円弧状部４２１と両重畳部４２２，４２３とは分割ケース３２の外郭を構成するものである。また、分割固定金具４２の円弧状部４２１には、分割ケース３２の円弧状部３２１の外周壁に形成した係止穴３２４に対応する位置に挿通穴４２４が形成されている。前記重畳部４２２の板面には後述する取付金具５を固着するねじ先端の逃げ孔４２２ａが形成されるとともに重畳部４２２の前縁には下り階段状に折り曲げたうえで上方に延在する取着片４２２１が形成されている。そして、前記重畳部４２３は前後方向に３分割されたうちの中央脚片４２３１（図では３分割された後部脚片４２３２に隠れて見えない）が一段高く折り曲げられて後述する取付金具６を固着するねじ孔４２３１ａ（図では３分割された後部脚片４２３２に隠れて見えない）を有する固定片（以下ではロックケース固定金具４の固定片４２３１ともいう）として形成され、また、３分割されたうちの後部脚片４２３２の後縁には上方（内方）に延在するストッパ４２５が形成されている。なお、前記円弧状部４２１に設けた係合穴４２６は後述する取付金具５の係合片が進入して係合するものである。
【００３９】
前記ロックケース固定金具４は、分割固定金具４１の重畳部４１２，４１３の下側に分割固定金具４２のそれぞれの重畳部４２２，４２３が位置するように互い違いに重ね合わせたうえで、当該重畳部同士を溶接して一体化することにより組立てられてモジュール化される。このようにモジュール化されたロックケース固定金具４の内壁の輪郭は、図４に示したハンドルロックケース３の外壁の輪郭に一致する異形の筒状体であり、ハンドルロックケース３を前後に移動可能で、かつ、回転不能に保持するものである。
【００４０】
図６に示した取付金具５，６，７は、従来装置（図９）のハンドルケース９１０背面における上段、中段、下段に形成された取付孔９１４に倣って設けたものである。なお、上段の取付金具５と中段の取付金具６は、同一形状のものであるので、ここでは取付金具５（図６の（ａ））を代表して説明し、取付金具６（図６の（ｂ））の参照符号などについては括弧書きする。前記取付金具５は、図６の（ａ）に示したように、固定基部５１（６１）と、当該固定基部５１（６１）の後端部から下方（上方）に折り曲げられるとともに左右に延在する取付座部５２，５２（６２，６２）、および当該取付座部５２から下方（上方）に延在する舌片状の係合片５３，５３（６３，６３）からなる。前記固定基部５１（６１）にはねじ挿通孔５１１（６１１）が穿孔され、取付座部５２，５２（６２，６２）にはそれぞれ締結孔５２１，５２１（６２１，６２１）が穿たれている。この締結孔５２１，５２１（６２１，６２１）にはハンドルロック装置ＨＬを外扉に固定するためのねじに応じた適正な下穴加工または雌螺子がタップされてねじが螺合するように形成されている。
【００４１】
一方、下段の取付金具７は、図６の（ｃ）に示したように、左右方向に延在する固定基部７１と、当該固定基部７１の下縁の左右端部側から立ち上がるとともに上方に折り曲げられた左右の取付座部７２，７２からなり、左右側方から見た場合コ字状に折り曲げ形成されている。前記固定基部７１の左右端部側には円形および左右に長い長円の係合穴７１１，７１１が穿孔され、取付座部７２，７２にはそれぞれ締結孔７２１，７２１が穿たれている。この締結孔７２１，７２１にはハンドルロック装置ＨＬを外扉に固定するためのねじに応じた適正な下穴加工または雌螺子がタップされてねじが螺合するように形成されている。
【００４２】
次に、前記ハンドルケース組立体１の組立てについて図７を用いて説明する。図７の（ａ）ないし（ｃ）はハンドルケース組立体１の組立工程を順に示すものである。図７の（ａ）に示すように、ハンドルケースカバー２を構成するフロントカバー２１の背面にリアカバー２２を固定するに先立ち、リアカバー２２にモジュール化されたロックケース固定金具４、および上段，中段，下段の取付金具５，６，７のうちの下段の取付金具７を装着して溶接固定する。
【００４３】
前記リアカバー２２へのモジュール化されたロックケース固定金具４の装着は、ロックケース固定金具４の上方に延在する下り階段状に折り曲げた取着片４２２１をリアカバー２２の階段状の取着部２２１に沿うように配設するとともにロックケース固定金具４の下方に延在する二股状の取着片４１３１の左右両端に形成した切欠４１３１ａ，４１３１ａの縁部をリアカバー２２の挿通穴２２３，２２３の内方穴縁に沿うように配設する。このようにリアカバー２２に装着されたロックケース固定金具４の取着片４２２１、および二股状の取着片４１３１をリアカバー２２にスポット溶接してロックケース固定金具４を固着する。
【００４４】
前記リアカバー２２への取付金具７の装着は、取付金具７の固定基部７１の板面をリアカバー２２の板面に当接する態様で装着する。この場合、取付金具７における固定基部７１の係合穴７１１，７１１をリアカバー２２に形成したボス２２４，２２４に嵌め込むことにより取付金具７が位置決めされる。そして、前記ボス２２４，２２４と係合穴７１１，７１１との間をスポット溶接して取付金具７をリアカバー２２に固定する。
【００４５】
次いで、リアカバー２２をフロントカバー２１に装着する。この場合、リアカバー２２は、フロントカバー２１の格納穴２１０の周縁に形成されたフランジ２１２を覆うように装着するとともにリアカバー２２に形成された挿通穴２２３，２２３に前記フランジ２１２に形成された突起２１３，２１３を嵌め込む。そして、リアカバー２２の取着部２２１をフロントカバー２１にスポット溶接するとともにリアカバー２２の挿通穴２２３，２２３から突き出した突起２１３，２１３と挿通穴２２３，２２３の周壁との間をミグ溶接して両者を一体化する（図７の（ｂ）参照）。なお、上記ではロックケース固定金具４、および取付金具７のリアカバー２２への組付けを製造ライン上で行うこととして説明したが、前組立によりリアカバー２２にロックケース固定金具４、および取付金具７を溶接固着してモジュール化したうえで製造ラインに投入することもできるものである。
【００４６】
引き続いて、前記ハンドルケースカバー２に固着されたロックケース固定金具４にモジュール化されたハンドルロックケース３を装着する（図７の（ｂ）参照）。この場合、ハンドルロックケース３は、ハンドルケースカバー２の前方からフロントカバー２１の格納穴２１０，リアカバー２２の挿通穴２２２を介してロックケース固定金具４の中空部に挿入若しくは圧入される。ここで、ロックケース固定金具４における中空部内壁の輪郭がハンドルロックケース３における異形の筒状体の外壁の輪郭に一致するように定められているので、ハンドルロックケース３はロックケース固定金具４の中空部内壁の輪郭に合わせて挿入若しくは圧入される。そして、ハンドルロックケース３をロックケース固定金具４のストッパ４１５，４２５に当接するまで挿入若しくは圧入すると、ハンドルロックケース３の係止穴３１４，３２４がロックケース固定金具４の挿通穴４１４，４２４に連通した状態でハンドルロックケース３はロックケース固定金具４に回転不能に保持される（図７の（ｃ）参照）。なお、ハンドルロックケース３はロックケース固定金具４に装着した状態で、ハンドルロックケース３をロックケース固定金具４の背後から前方に押圧することによりロックケース固定金具４から前方に移動させて取り出すことができるように移動可能、つまり、ロックケース固定金具４に着脱自在に構成されている。
【００４７】
このように、ハンドルケースカバー２に固着されたロックケース固定金具４にハンドルロックケース３を組付けた状態（図７の（ｃ）参照）で、上段，中段の取付金具５，６を、次のように取付ける。先ず、上段の取付金具５をロックケース固定金具４の固定片４１２１にねじＳ１を螺着して固定する。前記取付金具５をロックケース固定金具４の固定片４１２１にねじＳ１により螺着するにあたり、取付金具５の一方の係合片５３（図では右側の係合片５３）をロックケース固定金具４の挿通穴４１４を介してハンドルロックケース３の外周壁に形成された係止穴３１４に挿入させるとともに取付金具５の他方の係合片５３（図では左側の係合片５３）をロックケース固定金具４の係合穴４２６に挿入させつつ固定基部５１をロックケース固定金具４の固定片４１２１に載置する。そして、前記固定基部５１のねじ挿通孔５１１を介してねじＳ１を固定片４１２１のねじ孔４１２１ａに螺合させて取付金具５を固定する。この場合、取付金具５の一方の係合片５３がロックケース固定金具４の挿通穴４１４、およびハンドルロックケース３の係止穴３１４に挿入されて係止され、また、取付金具５の他方の係合片５３がロックケース固定金具４の係合穴４２６に挿入されて係止されるので、取付金具５が位置決めされるとともにねじＳ１を締め付ける際にも取付金具５が回動することがない。
【００４８】
次いで、中段の取付金具６は、上段の取付金具５と同一形状のものであって上段の取付金具５を時計方向に１８０度回転させたものである。この取付金具６も上段の取付金具５の取付けと同様に、取付金具６の一方の係合片６３（図では左側の係合片６３）をロックケース固定金具４の挿通穴４２４を介してハンドルロックケース３の係止穴３２４に挿入させるとともに取付金具６の他方の係合片６３（図では右側の係合片６３）をロックケース固定金具４の係合穴４１６（図５参照）に挿入させつつ固定基部６１をロックケース固定金具４の固定片４２３１（図５参照）に載置したうえで前記固定基部６１に形成したねじ挿通孔６１１（図６参照）を介してねじＳ２を固定片４２３１に形成したねじ孔４２３１ａ（図５参照）に螺合させて固定する。この取付金具６も前記取付金具５と同様に、取付金具６の一方の係合片６３がロックケース固定金具４の挿通穴４２４、およびハンドルロックケース３の係止穴３２４（図４参照）に挿入されて係止され、また、取付金具６の他方の係合片６３がロックケース固定金具４の係合穴４１６（図５参照）に挿入されて係止されるので、取付金具６が位置決めされるとともにねじＳ２を締め付ける際にも取付金具６が回動することがない。そして、前述したように取付金具５，６を取付けることにより、前記取付金具５，６の係合片５３，６３がロックケース固定金具４の挿通穴４１４，４２４を介してハンドルロックケース３の係止穴３１４，３２４（図４参照）に進入するので、ハンドルロックケース３がロックケース固定金具４から脱落するのを防止することができる。
【００４９】
なお、下段の取付金具７についてはリアカバー２２に溶接固定するように構成したことから、リアカバー２２をフロントカバー２１に組付ける以前の工程においてリアカバー２２に組付ける必要があるが、取付金具７を溶接固定ではなく取付金具５，６と同様にねじ止めする構成とした場合には取付金具５，６の組付け工程と同一の工程で組付けることができるものである。この場合にも取付金具７の係合穴７１１，７１１を活用すれば位置決めされるのでねじを締め付ける際にも取付金具７が回動することがなく、上段，中段の取付金具５，６のような位置決めを行う必要はない。
【００５０】
さて、前述したように組立てられたハンドルケース組立体１を図１の（ｂ）、（ｃ）に示し、このハンドルケース組立体１に、キーシリンダー９３０が嵌め込み固定された操作ハンドル９２０を組付けることによりハンドルロック装置ＨＬが形成される（図１の（ａ））。この場合、操作ハンドル９２０の軸状部９２２が嵌め込まれた内筒９４０をハンドルケース組立体１の前方からハンドルロックケース３の中空部に挿入した後、ハンドルロックケース３を貫通した内筒９４０の後端部に回転規制円板（不図示）を取付けることにより内筒９４０の前方への移動が規制される。また、ロックケース固定金具４のストッパ４１５，４２５が前記回転規制円板のカムに当接して内筒９４０の回転範囲を規制するストッパとしても機能する。前述したように、ハンドルケース組立体１に操作ハンドル９２０を組付けて形成されるハンドルロック装置ＨＬは、外扉２００（図８参照）に開口したロックケース固定金具４が貫通可能な取付穴を介して外扉２００の前面側から装着される。外扉２００の背面には、ハンドルケース組立体１のハンドルケースカバー２の周縁が外扉２００の板面に当接した状態でハンドルケース組立体１に固着された取付金具５，６，７の取付座部５２，６２，７２に形成した締結孔５２１，６２１，７２１に対峙する位置にそれぞれねじ挿通孔を備えたハンドルロック取付金具が配設されており、このハンドルロック取付金具を介してハンドルケース組立体１（ハンドルロック装置ＨＬ）がねじにより外扉２００に固着される。
【００５１】
ここで、ハンドルロックケース３の外周壁に形成したところの、取付金具５，６の係合片５３，６３が進入する係止穴３１４，３２４（図４参照）は、ハンドルロックケース３に形成された閂係止溝３１３，３２３の前方域に位置するように定められている。このため、前記係止穴３１４，３２４に進入した取付金具５，６の係合片５３，６３は閂係止溝３１３，３２３の前方域を遮蔽する。すなわち、前記係止穴３１４，３２４に進入した取付金具５，６の係合片５３，６３は、ハンドルケース組立体１に組み込まれた操作ハンドル９２０をハンドルケース組立体１の格納位置に格納した上でキーシリンダー９３０を施錠することによって操作ハンドル９２０の軸状部９２２から外周方向に突出して閂係止溝３１３，３２３に係合した閂の前方域を遮蔽する。そこで、薄板板金からなる前記取付金具５，６を焼入れして強化することにより取付金具５，６の係合片５３，６３が閂保護部として機能する。つまり、ドリルにより閂を破壊しようとしても閂保護部がドリルの侵入を阻止するので、取付金具５，６の係合片５３，６３を閂保護部として防犯対策の一つの仕様とすることができる。
【００５２】
また、取付金具５，６の係合片５３，６３がハンドルロックケース３、およびロックケース固定金具４に係合している一方、取付金具５，６自身はハンドルロック取付金具を介して外扉２００に連結されていることから、ハンドルロックケース３或いはロックケース固定金具４に自動販売機の外部から外力が加えられた場合にも取付金具５，６の係合片５３，６３がハンドルロックケース３或いはロックケース固定金具４を保持して補強する役目を果すものである。
【００５３】
また、前記取付金具５の取付座部５２，５２、取付金具６の取付座部６２，６２、および取付金具７の取付座部７２，７２の高さは、図９に示した従来装置のハンドルケース９１０の胴部９１２に形成された上段，中段，下段に位置するそれぞれの取付孔９１４の高さ位置と一致するように構成されている。言い換えれば、前記取付金具５の取付座部５２，５２に形成した締結孔５２１，５２１、取付金具６の取付座部６２，６２に形成した締結孔６２１，６２１、および取付金具７の取付座部７２，７２に形成した締結孔７２１，７２１が従来装置におけるハンドルケース９１０の胴部９１２に形成された上段，中段，下段に位置するそれぞれの取付孔９１４に相当する。したがって、この実施の形態におけるハンドルケース組立体１は、既設の自動販売機のハンドルロック装置のハンドルケース９１０と互換性を有するものである。
【００５４】
なお、前述した実施の形態においては、ハンドルロック装置ＨＬのハンドルケース組立体１を構成するところの、ハンドルケースカバー２、ハンドルロックケース３、ロックケース固定金具４、および取付金具５，６，７をそれぞれ単数の薄板板金製になり、必要に応じて薄板板金を焼入れしてなるものとして説明したが、薄板板金を焼入れするものに代えて、例えばステンレス製とすることもできるものであり、実施の形態によりハンドルケース組立体１の材料が限定されるものではない。また、取付金具５，６，７はそれぞれ個別のものとして上段，中段，下段に配置されているものについて説明したが、防犯対策の仕様（バリエーション）によっては上下に隣接する取付金具５，６若しくは取付金具６，７を一体に形成、或いは取付金具５，６，７の全てを一体に形成、さらには左右に分割して結合することもでき、実施の形態の構造に限定されるものではない。
【００５５】
前述したように本発明の実施の形態に係る自動販売機のハンドルロック装置ＨＬによれば、外扉２００に装着され、かつ、背面側に外扉にねじ固定されるハンドルケース９１０、操作レバー９２１を備え、当該操作レバー９２１が前記ハンドルケース９１０に格納された格納位置と前記ハンドルケース９１０から突出した突出位置との間を移動可能に前記ハンドルケース９１０に組み込まれた操作ハンドル９２０、および前記操作ハンドル９２０の枢軸部に嵌め込み固定されたキーシリンダー９３０とからなる自動販売機のハンドルロック装置ＨＬであって、前記操作ハンドル９３０はキーシリンダー９３０が嵌め込み固定された軸状部に外周方向に出没可能な閂を有し、キーシリンダー９３０の施錠により前記閂が突出してハンドルケース９１０の格納位置に拘束保持される一方、キーシリンダー９３０の解錠により前記閂が没入してハンドルケース９１０の格納位置への拘束が解除されて突出位置に突出するようにした自動販売機のハンドルロック装置ＨＬにおいて、前記ハンドルケース９１０は、外扉２００に装着され、それぞれ単数の薄板板金であり、前記操作ハンドル９２０の操作レバー９２１を格納するハンドルケースカバー２と、前記操作ハンドル９２０の軸状部から出没する閂を係止する閂係止溝３１３，３２３を有する筒状のハンドルロックケース３と、取締結孔５２１，６２１，７２１が穿たれた前記取付金具５，６，７と、からなるハンドルケース組立体１であることにより、ハンドルケースの材料費を大幅に削減することができる。そのうえ、ハンドルケース組立体１の防犯対策仕様（強度）を自動販売機の設置場所に応じて変更することが可能となる。つまり、自動販売機は防犯対策が必要な自動販売機（例えば、屋外設置形）と防犯対策が不要な自動販売機（例えば、屋内設置形）に大別されることから、ハンドルケース組立体１の仕様（強度）も防犯対策の要否に応じて変更、例えば、屋外設置形の場合にはハンドルケース組立体１の構成部品の全てを薄板板金（例えば、亜鉛鉄板）を焼入れ若しくはステンレス製とした最高級仕様版、屋内設置形の場合には亜鉛鉄板をそのまま使用した廉価版、ハンドルケース組立体１の構成部品の一つについて亜鉛鉄板を焼入れ若しくはステンレス製とした最高級仕様版と廉価版の間の中間仕様版（この中間仕様版には構成部品の数、焼入れ若しくはステンレス製とする構成部品の個数により複数存在する）などの仕様（強度）の異なるハンドルケース組立体１を得ることが可能となり、自動販売機の設置場所に応じた仕様（強度）のハンドルロック装置を提供することができる。
【符号の説明】
【００５６】
ＨＬ…ハンドルロック装置、１…ハンドルケース組立体、２…ハンドルケースカバー、３…ハンドルロックケース、４…ロックケース固定金具、５，６，７…取付金具、２１…フロントカバー、２２…リアカバー、３１，３２…分割ケース、４１，４２…分割固定金具、５１，６１，７１…固定基部、５２，６２，７２…取付座部、５３，６３…係合片、２００…外扉、３１３，３２３…閂係止溝、３１４，３２４…係止穴、５２１，６２１，７２１…締結孔、９１４…取付孔、９２０…操作ハンドル、９２１…操作レバー、９２２…軸状部、９３０…キーシリンダー。
【図１】
0006015078.tif 000002
【図２】
0006015078.tif 000003
【図３】
0006015078.tif 000004
【図４】
0006015078.tif 000005
【図５】
0006015078.tif 000006
【図６】
0006015078.tif 000007
【図７】
0006015078.tif 000008
【図８】
0006015078.tif 000009
【図９】
0006015078.tif 000010